(57)【特許請求の範囲】
【請求項１】
４隅に立設されたポストに連結して装着された側板を有するラックであって、
前記側板は連結部材を介在させた連結機構によりポストに連結され、前記連結機構が側板の背部に設けた係止片と、該係止片を掴持する掴持部及びポストに係止する係止部を有する連結部材と、該連結部材をポストに固定する固定ネジとから成り、
前記固定ネジを挿通するポストに設けたネジ挿通孔が、連結部材の摺動移動を可能とする長孔であって、前記連結部材を摺動移動させることで前記掴持部による係止片の掴持／掴持解除動作が可能なことを特徴とするラック。
【請求項２】
固定ネジがローレットネジである請求項１記載のラック。
【発明の詳細な説明】
【０００１】
【発明の属する技術分野】
本発明は、例えば通信機器を収納するハウジングやボックス等のラックに関し、詳しくはラックの側板取付構造に関する。
【０００２】
【従来の技術】
従来の例えば通信機器を収納するラックの代表的な例を図３に示す。図３はラックのフレーム及び側板の斜視図であり、ラックフレーム２１は、底部に配置された四角形の底枠２３と上部に配置された四角形の天枠２４と両枠間の４隅に立設配置された４本のポスト２５とから成り、２２は側板である。ラックフレーム２１への側板２２の取り付けは、図４に示すＢ部拡大図のように、ラック内側からネジ２６によりネジ止めして行なわれていた。
このように、側板２２の取り付けは安全上の点から、容易に取り外せないように、ラック内側からポスト２５に形成されたネジ挿通孔２７を介して側板２２のネジ孔２８にネジ２６を螺入して側板２２を固定して装着していた。
【０００３】
【発明が解決しようとする課題】
しかし、上記従来の側板取付形態は、取付ける際に側板２２のネジ孔２８をポスト２５のネジ挿通孔２７に合致させる位置合わせ操作が必要であり面倒であったし、双方の孔の位置が合わない場合はネジ止め操作は更に厄介であった。
また、ラック内でのドライバ等の工具を用いて取り付け操作するため、ネジ挿通孔２７周囲には工具を操作するスペースが必要であった。
【０００４】
そこで、本発明は上記問題点に鑑み、側板を取り付ける際にネジ孔を一致させるような高精度な位置合わせ操作が必要が無く、また装着する際に工具を必要としないラックを提供することを課題とする。
【０００５】
【課題を解決するための手段】
上記課題を解決するため、請求項１の発明は、４隅に立設されたポストに連結して装着された側板を有するラックであって、前記側板は連結部材を介在させた連結機構によりポストに連結され、前記連結機構が側板の背部に設けた係止片と、該係止片を掴持する掴持部及びポストに係止する係止部を有する連結部材と、該連結部材をポストに固定する固定ネジとから成り、前記固定ネジを挿通するポストに設けたネジ挿通孔が、連結部材の摺動移動を可能とする長孔であって、前記連結部材を摺動移動させることで前記掴持部による係止片の掴持／掴持解除動作が可能なことを特徴とする。
【０００６】
請求項２の発明は、請求項１の発明において、固定ネジがローレットネジであることを特徴とする。
【０００７】
【発明の実施の形態】
以下、本発明を具体化した実施の形態を、図面に基づいて詳細に説明する。図１は本発明に係るラックを示し、側板の一部を装着する様子を示すラックフレームの斜視図を示している。また、図２（ａ）は図１のＡ部拡大図を示し、図２（ｂ）は側板を装着した状態のＡ部を示している。
図１に示すようにラックフレーム５は、底枠１と、底枠１と略同一形状の天枠２と、底枠１と天枠２の間の４隅に立設された４本のポスト３〜３から構成され、４は側板の一部を成す閉塞板である。この実施形態では側板は閉塞板４を上下に３枚連結して形成されている。
【０００８】
各ポスト３は図２の拡大図に示すように、ラック開口部の内側となる側面に閉塞板４の背部が当接する上下に伸びた帯状の受け板６が形成され、受け板６には後述する連結部材１０を固定する固定ネジのネジ挿通孔７が所定位置に穿設されている。また、ネジ挿通孔７に隣接するポスト３の側面には連結部材１０を係止する上下に伸びたスリット状の係止孔８が形成されている。
【０００９】
連結部材１０は、閉塞板４をポスト３に連結する際に介在させる部材で、基部にＬ字状に折曲げ形成された掴持部１０ａ、先端に係止孔８に挿入される挿入片１０ｂを有し、略中央にネジ孔１０ｃが形成されている。また、１１は連結部材１０のネジ孔１０ｃに螺入して受け板６に連結部材１０を固定するためのローレットネジである。
【００１０】
閉塞板４の左右端部裏面には、受け板６に当接する連結部１３が突設され、その連結部１３に連結部材１０の掴持部１０ａに掴持される係止片１２が設けられている。係止片１２は、連結部１３を受け板６に当接させた際に係止片１２と受け板６との間に連結部材１０の厚みより僅かに大きな隙間が形成される位置に受け板６に平行に配置されるよう形成され、連結部材１０とローレットネジ１１と係止片１２とで連結機構が構成されている。
そして、受け板６のネジ挿通孔７は横長に形成され、連結部材１０の掴持部１０ａが係止片１２を掴持／掴持解除動作することが可能な距離を移動可能な長さを有する長孔として形成されている。
【００１１】
次に上記閉塞板４のラックフレーム５への取り付け手順を説明する。ラック開口部下端には落とし込み溝１５が形成され、まず閉塞板４の下辺をその落とし込み溝１５に挿入する。そして、背部を連結機構によりポスト３に連結して装着する。
連結機構の連結操作は、受け板６に当接させた連結部１３の係止片１２を掴持部１０ａが掴持する姿勢で連結部材１０を係止片１２と受け板６の間の隙間に挿入し、先端挿入片１０ｂを係止孔８に入り込ませる。そして、ローレットネジ１１を受け板６背部からネジ挿通孔７に挿入して連結部材１０のネジ孔１０ｃに工具を使わず手動で螺入する。
【００１２】
こうして連結部材１０が締着固定されると共に係止片１２が掴持されて閉塞板４はポスト３に連結され、ラックフレーム５の側面開口部に閉塞板４は装着される。こうして、連結部材１０のポスト３への連結操作はローレットネジ１１で行なわれ、工具を使用しないが、連結部材１０の締着力は連結部材１０が横方向に摺動移動しない程度であれば良いため、ローレットネジ１１を使用した手動の締着操作で十分となる。
そして、閉塞板４同士の連結は、閉塞板４の上端には落とし込み凹部が形成されており、上方から連結する閉塞板４をその凹部に挿入することで保持され、同様に連結機構により背部を連結すれば良く、この操作をくり返して側板は形成される。
【００１３】
また、閉塞板４の取外しはローレットネジ１１を緩めるだけで実施でき、ローレットネジ１１を緩めて連結している連結部材１０をローレットネジ１１と共に長孔に沿って引き出し方向に摺動移動することで、掴持部１０ａによる係止片８の把持動作を解除でき、その後閉塞板４を持ち上げれば下部の落とし込み部を抜き取りでき、閉塞板４は取外しされる。その後の装着操作は、閉塞板４を受け板６に当接させた後、連結部材１０が連結されたローレットネジ１１を掴持部１０ａが掴持動作するように挿入方向に摺動移動した後ネジ締めすれば良く、簡易な操作で装着できる。
【００１４】
このように、連結部材１０とローレットネジ１１と係止片１２から成る連結機構を設けて側板を装着することで、係止片を掴持する操作で取り付けでき、側板の位置決め操作にネジ孔を一致させるような精度が要求されず、位置合わせ操作が容易である。また、ローレットネジの挿通孔を長孔とすることでネジを外すことなく側板の掴持を解除できるので、メンテナンス等の際、側板の着脱操作がし易い。
また、ネジ締め操作に工具が必要ないので、ラック内部に工具操作空間を確保しておく必要が無くなるし、ネジがローレットネジであるためネジ締め操作が容易となる。
更に、連結部材は先端がポストに挿入係止されるので側板着脱操作或いはネジ締めの際に連結部材が回転するようなことがなく、側板着脱操作が容易である。
【００１５】
尚、上記実施の形態は側板が複数の閉塞板から成る場合を示しているが、１枚の板体で形成されている場合でも同様の連結機構を設けて実施でき、この場合側板の大きさに応じて連結機構を設ける箇所を増やる等の対応をすれば良い。
【００１６】
【発明の効果】
以上詳述したように、請求項１の発明によれば、側板の位置決めにネジ孔を一致させるような精度を必要としないので、位置合わせ操作が容易である。
【００１７】
そして、ネジを外すことなく側板の掴持を解除できるので、側板の着脱操作がし易い。
また、請求項２の発明によれば、請求項１の効果に加えて、ネジ締め操作に工具を必要とせず、ラック内部に工具操作空間を確保しておく必要がなくなるし、ネジ締め操作が容易となる。
【図面の簡単な説明】
【図１】本発明に係るラックの実施形態の一例を示し、側板の一部を取付ける様子を示すラックフレームの斜視図である。
【図２】（ａ）は図１のＡ部拡大図である。
（ｂ）は側板装着後のＡ部拡大図である。
【図３】従来のラックを示し、ラックフレーム及び側板の斜視図である。
【図４】図３のＢ部拡大図である。
【符号の説明】
１・・底枠、２・・天枠、３・・ポスト、４・・閉塞板、５・・ラックフレーム、６・・受け板、７・・ネジ挿通孔、８・・係止孔、１０・・連結部材、１０ａ・・掴持部、１０ｂ・・挿入片、１０ｃ・・ネジ孔、１１・・ローレットネジ、１２・・係止片、１３・・連結部。
【図１】
0003999511.tif 000002
【図２】
0003999511.tif 000003
【図３】
0003999511.tif 000004
【図４】
0003999511.tif 000005